(57)【特許請求の範囲】
【請求項１】
紫外線吸収剤を練り込んで形成される透明の熱可塑性合成樹脂フィルムよりなる袋本体の開口部側に、遮光性を有し紫外線吸収剤を前記袋本体に対する混入割合より低減させて練り込んで形成される着色合成樹脂よりなるチャックを接着一体化したことを特徴とする合成樹脂製チャック付袋体。
【請求項２】
チャックを有する袋口の一方の口端縁を他方の口端縁よりも長く突出させて段差を形成し且つ前記他方の口端縁に厚肉条を設けてなるチャック付袋体において、この袋本体を紫外線吸収剤を練り込んで形成される透明の熱可塑性合成樹脂フィルムにより形成し、前記チャック並びに厚肉条を、前記袋本体に対する紫外線吸収剤混入の割合より低減させて練り込んで形成される若しくは紫外線吸収剤を非混入とした遮光性を有する着色合成樹脂より形成して接着一体化したことを特徴とする合成樹脂製チャック付袋体。
【請求項３】
紫外線吸収剤を練り込んで形成される透明の熱可塑性合成樹脂フィルムよりなる袋本体の開口部側に、紫外線吸収剤を前記袋本体に対する混入割合より低減させて練り込んで形成される透明の合成樹脂よりなるチャックを接着一体化したことを特徴とする合成樹脂製チャック付袋体。
【発明の詳細な説明】
【０００１】
【発明の属する技術分野】
本発明は、包入内容品に対し紫外線による変質防止機能を持った合成樹脂製チャック付袋体に関するものである。
【０００２】
【従来の技術】
食品、医薬品、工業薬品、農薬等は紫外線による変質を防止した包装用資材によって内容品を紫外線から保護することが要求される。内容品を紫外線から保護できるような包装用資材としては、着色遮光性フィルム又はアルミ箔層を設けたフィルムあるいは紫外線吸収剤を混入したフィルムによる合成樹脂製袋体が一般に採用されている。
【０００３】
【発明が解決しようとする課題】
着色遮光性フィルム又はアルミ箔層を設けたフィルムによる合成樹脂製袋体では紫外線をカットするが、その反面袋体外部より内容品が透視できない不都合がある。また、紫外線吸収剤を混入した透明フィルムによる合成樹脂製袋体では袋体外部より内容品を透視することが可能であるが、チャック付袋体への適用を考えた場合は次のような問題点を有する。
【０００４】
すなわち、紫外線防止効果を有するチャック付袋体としては、当然紫外線を防止する機能と、チャック本来の雌雄爪咬み合い機能、密封機能等を満足するものが要求されるが、袋本体フィルムとチャックに同等割合で紫外線吸収剤が混入されることにより、袋本体並びにチャック共に紫外線を防止する機能については問題なく満足されるが、チャック本来の機能については必ずしも満足とは言えない面が出てくる。
【０００５】
すなわち、チャックを構成する素材としては最適化された素材中に所定割合で混入される紫外線吸収剤は、程度の差こそあれチャック機能を低下させる恐れがあり、具体的には嵌合強度が低下したり、或いはこれとは逆に嵌合強度が必要以上に強くなってしまったり、チャック雌雄の密着や咬み合わせが甘くなったり、咬み合わせ部分の適度の剛性が失われて損傷し易くなったり等の支障を生じる恐れが出てくる。
【０００６】
外線吸収剤としては、酸化チタン、酸化亜鉛、酸化鉄等の超微粒子の金属酸化物やベンゾトリアゾール系、ベンゾフェノン系、サルチル酸系等の有機化合物が適用されるが、取り扱いに注意が必要で適用が制限される後者の有機化合物系でなく、毒性がなく衛生上問題がないとされる前者の金属酸化物系の紫外線吸収剤を適用しようとする場合、また、別の問題が発生する。
【０００７】
すなわち、前記金属酸化物による紫外線吸収剤を適用した場合には、これが超微粒子であっても硬質物であり、これが研磨材として作用してチャックを成形するダイスを磨耗し、チャックの雌雄爪の成形精度が劣化され、チャック雌雄爪の咬合体勢にずれが生じて円滑な咬み合わせが出来なくなったり、前述のように嵌合強度が低下したり、或いはこれとは逆に嵌合強度が必要に以に上強くなってしまったり、チャック雌雄の密着や咬み合わせが甘くなったりしてチャック機能を低下させる恐れがあり、また、チャック成形ダイスの寿命が短くなり袋体の製造コストを高くする要因となる。
【０００８】
紫外線を遮断する袋体は、光学的に有害とされている波長が２８０〜４００ｍμの紫外線の透過率を１０％以下に抑えるようにすることが望ましい。チャック付袋体で袋本体のフィルムとチャックを前記紫外線の透過率を１０％以下に抑えるよう紫外線吸収剤の混入割合を袋本体のフィルムとチャックの何れも同等割合とした場合は、チャックにおいては上記のようなチャック本来の機能に弊害をもたらし、また、チャック本来の機能に弊害をもたらさないようチャック側を基準にした紫外線吸収剤の混入割合を袋本体のフィルムとチャックの何れも同等割合とした場合は、チャック本来の機能は確保されるが、袋本体の紫外線カットが低下して目的を達成することができない問題がある。
【０００９】
本発明の目的は、上記のような問題点を解消し、チャック本来の嵌合機能、密封機能等を満足すると共に、紫外線を防止する機能を備えたチャック付の合成樹脂製袋体を提供することである。
【００１０】
【課題を解決するための手段】
上記目的を達成するための本発明は、請求項１に記載の通り、紫外線吸収剤を練り込んで形成される透明の熱可塑性合成樹脂フィルムよりなる袋本体の開口部側に、遮光性を有し紫外線吸収剤を前記袋本体に対する混入割合より低減させて練り込んで形成される着色合成樹脂よりなるチャックを接着一体化したことを特徴とするものである。
【００１１】
請求項２に記載の通り、チャックを有する袋口の一方の口端縁を他方の口端縁よりも長く突出させて段差を形成し且つ前記他方の口端縁に厚肉条を設けてなるチャック付袋体において、この袋本体を紫外線吸収剤を練り込んで形成される透明の熱可塑性合成樹脂フィルムにより形成し、前記チャック並びに厚肉条を、前記袋本体に対する紫外線吸収剤の混入割合より低減させて練り込んで形成される若しくは紫外線吸収剤を非混入とした遮光性を有する着色合成樹脂より形成して接着一体化したことを特徴とするものである。
【００１２】
請求項３に記載の通り、紫外線吸収剤を練り込んで形成される透明の熱可塑性合成樹脂フィルムよりなる袋本体の開口部側に、紫外線吸収剤を前記袋本体に対する混入割合より低減させて練り込んで形成される透明の合成樹脂よりなるチャックを接着一体化したことを特徴とするものである。
【００１３】
【発明の実施の形態】
以下本発明の実施の形態を図面に基づいて説明する。
【実施例１】
図１及び図２において１ａは本発明の実施例１を示す合成樹脂製チャック付袋体である。２は両側端がサイドシールされた袋本体であり、紫外線吸収剤を練り込んで形成される透明の熱可塑性合成樹脂フィルムよりなり、底部は折り返し若しくは接着されている。３は前記袋本体２の開口部であり、この開口部３側に雌雄爪よりなるチャック４が接着一体化されている。上記合成樹脂製チャック付袋体１ａにおいては、袋本体２は透明であるから内容品は袋本体２の外部から透視が可能であり、その上紫外線吸収剤が練り込んであるため紫外線がカットされ内容品を紫外線から保護される。
【００１４】
前記チャック４について遮光性を有し紫外線吸収剤を前記袋本体２に対する混入割合より低減させて練り込んで形成される着色合成樹脂よりなるものである。
このチャック４については紫外線吸収剤の混入割合を袋本体２に対する混入割合より低減させていても着色合成樹脂による遮光性と紫外線吸収剤との相乗作用によって、より一層チャック４部分からの紫外線の入光を遮断することができるのである。
【００１５】
また、チャック４には紫外線吸収剤を袋本体２に対する混入割合より低減させているため、紫外線吸収剤に基づくチャック機能の低下やダイスの磨耗が防止され、チャック本来の機能を満足し、且つチャック成形ダイスの寿命が長期に渡って保持され袋体の製造コストを低減することができる。尚、チャック４を透明合成樹脂とし、これに紫外線吸収剤の混入割合を袋本体２に対する混入割合より低減させて練り込んで形成したものにおいてもチャック４部分からの紫外線の入光遮断は多少低下するが、このように紫外線防止効果が多少低下する点については、必要であれば開口部３の封緘等により解決できる。
【００１６】
【実施例２】
図３及び図４において、１ｂは本発明の実施例２を示す合成樹脂製チャック付袋体である。２は両側端がサイドシールされた袋本体であり、紫外線吸収剤を練り込んで形成される透明の熱可塑性合成樹脂フィルムよりなり、底部は折り返し若しくは接着されている。３は前記袋本体２の開口部である。
【００１７】
この実施例２における合成樹脂製チャック付袋体１ｂの開口部３側にはチャック４と、前記開口部３の袋口の一方の口端縁５を他方の口端縁６よりも長く突出させて段差を形成し且つ前記他方の口端縁６に厚肉条７を設けた構造である。
【００１８】
前記チャック４並びに厚肉条７は、前記袋本体２に対する混入割合より低減させて練り込んで形成される若しくは紫外線吸収剤を非混入とした遮光性を有する着色合成樹脂より形成して袋本体２に接着一体化したものである。
【００１９】
この実施例２は、一方の口端縁５を他方の口端縁６よりも長く突出した段差の部分を指で容易につまむことができ、短い方の他方の口端縁６の着色の厚肉条７により段差の識別を容易にすると共に、厚肉条７によって両口端縁５、６間に間隙ができるので両口端縁５、６の密着を防ぎ常に離間状態を保たせて分離を容易にし、一方の口端縁５の段差部分を指でつまむと他方の口端縁６は厚肉条７により自然に開いて指でつまむことが頗る容易にでき、且つ厚肉条７は指先の滑り止めとなって、これらの作用によりチャック４を解脱する開口操作が極めて容易に得られる合成樹脂製チャック付袋体１ｂにおいて、前記実施例１と同様に袋本体２の外部から内容品の透視を可能とすると共に内容品を紫外線から保護し、チャック４部分も紫外線の入光を遮断することができる上にチャック４を成形するダイスの摩耗が防止され、且つチャック本来の機能を満足することができる。
【００２０】
【実施例３】
図５において、１ｃは本発明の実施例３を示す合成樹脂製チャック付袋体である。この実施例３は、袋本体２を内外複層のフィルムで形成したものであり、外層２ａは単なる透明のフィルムとし、内層２ｂは紫外線吸収剤を練り込んだ透明のフィルムである。この実施例３においてもチャック４は前記内層２ｂとの接着性を有し、紫外線吸収剤を内層２ｂに対する紫外線吸収剤の混入割合より低減させて練り込んで形成させる若しくは紫外線吸収剤を非混入とした遮光性を有する着色合成樹脂あるいは内層２ｂに対する紫外線吸収剤の混入割合より低減させて練り込んだ透明合成樹脂によるものである。
【００２１】
この実施例３は、外層２ａ及び内層２ｂの複層フィルムにより袋本体２の内容品保護機能を向上した合成樹脂製チャック付袋体１ｃにおいて、前記実施例１同様に袋本体２の外部から内容品の透視を可能とすると共に内容品を紫外線から保護し、チャック４部分も紫外線の入光を遮断することができる上にチャック４を成形するダイスの摩耗が防止され、且つチャック本来の機能を満足することができる。尚、袋本体２の内容品保護機能をさらに高めるために外層２ａ部分を複数層としても良く、また、外層２ａにも紫外線吸収剤を混入しても良い。
【００２２】
【発明の効果】
以上詳述したように本発明によれば、チャック本来の機能を確保し、且つ内容品を袋本体の外部から透視可能とした上に、チャック部分と袋本体を紫外線遮断機能を持った合成樹脂製チャック付袋体を低コストで提供することができる利点を有している。
【図面の簡単な説明】
【図１】本発明の実施例１による合成樹脂製チャック付袋体の正面図
【図２】図１のＡ−Ａ線断面図
【図３】本発明の実施例２の合成樹脂製チャック付袋体の正面図
【図４】図３のＢ−Ｂ線断面図
【図５】本発明の実施例３の合成樹脂製チャック付袋体の断面図
【符号の説明】
１ａ 合成樹脂製チャック付袋体（実施例１）
１ｂ 合成樹脂製チャック付袋体（実施例２）
１ｃ 合成樹脂製チャック付袋体（実施例３）
２ 袋本体
２ａ 外層
２ｂ 内層
３ 開口部
４ チャック
５ 一方の口端縁
６ 他方の口端縁
７ 厚肉条
【図１】
0003776337.tif 000002
【図２】
0003776337.tif 000003
【図３】
0003776337.tif 000004
【図４】
0003776337.tif 000005
【図５】
0003776337.tif 000006